(57)【要約】      （修正有）【課題】正確な咬合記録を得るために歯科インプラントと共に使用される咬合レジストレーションポストを提供する。【解決手段】咬合レジストレーションポスト１０は、インプラントに螺着係合可能な下方のねじ付きステム１４において終端をなす円形のシャンク部分１２を含む。ポストは、上方の固定された円筒部分２０と、ねじ付きステムの方に向かって直径が先細になる下方のテーパ部分１８とを備える。また、間隔を空けて配置された１対のより大きな円形フランジ２６，２８が、ねじ付きステムから離れた側のシャンクに位置決めされる。【選択図】図４
0003189160.tif 000002
【実用新案登録請求の範囲】
【請求項１】
咬合レジストレーションポストであって、
細長いシャンクと、
前記シャンクの一方の端部から延在するねじ付きステムと、
前記シャンクから径方向外側に延在し、前記ねじ付きステムから離れた側の前記シャンクに位置決めされる少なくとも１つのフランジとを含む、咬合レジストレーションポスト。
【請求項２】
前記少なくとも１つのフランジは、前記シャンクから外側に延在して円形をなす、請求項１に記載の咬合レジストレーションポスト。
【請求項３】
前記少なくとも１つのフランジの外周は、前記少なくとも１つのフランジの直径に対して直交する方向に湾曲する、請求項２に記載の咬合レジストレーションポスト。
【請求項４】
前記シャンクの長手方向に互いから間隔を空けて配置された第１および第２のフランジを含む、請求項１に記載の咬合レジストレーションポスト。
【請求項５】
間隔を空けて配置された前記第１および第２のフランジがそれらの間にアンダーカットを規定し、前記アンダーカットは前記フランジの外径未満の幅を有する、請求項４に記載の咬合レジストレーションポスト。
【請求項６】
前記間隔を空けて配置された第１および第２のフランジは、前記シャンクの長手方向に直交する方向に円形をなし、前記第１および第２のフランジは該フランジの直径未満の直径を有するアンダーカットを規定する、請求項５に記載の咬合レジストレーションポスト。
【請求項７】
前記シャンクは、該シャンクと前記ねじ付きステムとが接続される側において、より大きな幅からより小さな幅へと先細にされる、請求項１に記載の咬合レジストレーションポスト。
【請求項８】
前記シャンクのうち前記ステムに隣接する部分は、前記ステムの近傍ではより小さな直径になるよう先細にされる、請求項１に記載の咬合レジストレーションポスト。
【請求項９】
前記ねじ付きステムと接続される側における前記シャンクは、前記ポストの長手方向に直交する方向に延在する肩部を規定する、請求項１に記載の咬合レジストレーションポスト。
【請求項１０】
前記シャンクのうち前記ねじ付きステムに隣接する部分は、前記少なくとも１つのフランジに隣接する前記シャンクの幅よりも狭い幅を有する、請求項１に記載の咬合レジストレーションポスト。
【請求項１１】
前記ねじ付きステムとは反対側に位置する前記シャンクの端部に、ソケットが形成される、請求項１に記載の咬合レジストレーションポスト。
【請求項１２】
前記少なくとも１つのフランジは、前記シャンクのうち、前記ステムとは反対側の端部に形成される、請求項１に記載の咬合レジストレーションポスト。
【請求項１３】
咬合レジストレーションポストであって、
縦長のシャンクと、
前記シャンクの一方の端部から延在し、歯科インプラントアバットメントに係合するよう適合されたステムと、
前記シャンクから径方向外側に延在し、シャンクの長手方向に間隔を空けて配置される少なくとも２つの円形フランジとを備える、咬合レジストレーションポスト。
【請求項１４】
前記少なくとも２つのフランジのうちの１つは、前記シャンクのうち、ねじ付きの前記ステムとは反対側の端部に位置する、請求項１３に記載の咬合レジストレーションポスト。
【請求項１５】
前記少なくとも２つのフランジはそれらの間にアンダーカットを規定し、前記アンダーカットは、前記少なくとも２つのフランジの外径未満の直径を有する、請求項１３に記載の咬合レジストレーションポスト。
【請求項１６】
前記少なくとも２つのフランジの外周は、前記少なくとも２つのフランジの直径に対して直交する方向に湾曲する、請求項１３に記載の咬合レジストレーションポスト。
【請求項１７】
ねじ付きの前記ステムと反対側に位置する前記シャンクの端部に形成されるソケットをさらに含む、請求項１３に記載の咬合レジストレーションポスト。
【請求項１８】
前記シャンクは円形であり、ねじ付きの前記ステムの近傍では直径が小さくなるように先細になっている、請求項１３に記載の咬合レジストレーションポスト。
【請求項１９】
ねじ付きの前記ステムに隣接するシャンクの幅は、２つ以上の前記フランジに隣接するシャンクの幅よりも狭い、請求項１３に記載の咬合レジストレーションポスト。
【請求項２０】
ねじ付きの前記ステムの直径は、前記シャンクのうち隣接する部分の直径よりも小さく、これにより、前記シャンクとより小径の前記ねじ付きステムとの接続部において肩部を規定する、請求項１３に記載の咬合レジストレーションポスト。
【考案の詳細な説明】
【技術分野】
【０００１】
関連出願の相互参照
本願は、２０１１年１２月１５日に出願された米国仮特許出願第６１／５７６２４９号の利益を主張するものであって、その詳細の全体がこの明細書中に援用される。
【０００２】
技術分野
本考案は、歯科インプラントに関し、より特定的には、患者の咬合を回復させる際に用いられる正確な咬合レジストレーションを得るために歯科インプラントと共に用いられるポストに関する。
【背景技術】
【０００３】
背景
歯科インプラントを介して患者の咬合を回復させる場合、歯科アバットメントを作成する作製所において、患者の口から得られた上顎の型および下顎の型を接合する際のガイドが得られるように、患者の歯がどのように咬合するかを説明することが必要である。歯科インプラントの状況は開業医にとってジレンマとなる。なぜなら、臨床医が咬合記録を作成するのに使用すべき歯または歯の標本が存在しないからである。結果として、患者の咬合を得ようとする際に、歯の穿孔箇所の代用物として治療用キャップを使用しようとすることがよくある。残念ながら、治療用キャップはやや小さく、しばしば歯ぐき組織に埋込まれてしまい、咬合記録の少なくとも一部に軟繊維が含まれてしまうこととなって、咬合のための安定した基盤とはならない。そのため、咬合は治療用キャップ単独では設定することができず、咬合キャップに隣接する組織に関して、結果として正確な咬合記録が得られなくなってしまう。さらに、咬合レジストレーションを参照するために治療用キャップを使用する場合、作製所において患者の口のモデル上に咬合を設定することを可能にするために、臨床医が、歯科インプラントを準備する作製所に二次的な治療用キャップのセットを提供することが必要となる。これにより、歯科インプラント処置のコストが増えてしまう。
【０００４】
このため、正確な咬合レジストレーションを有する歯科インプラントの作成時に使用される正確な咬合記録を実現するための単純でコスト効率の良いシステムが必要とされる。
【考案の概要】
【課題を解決するための手段】
【０００５】
概要
この概要は、以下において詳細な説明でさらに説明される概念を抜粋したものを単純な形で紹介するために提供される。この概要は、主張された主題の主要な特徴を識別するよう意図されたものではなく、主張された主題の範囲を決定するのを支援するものとして用いられるよう意図されたものでもない。
【０００６】
本考案は、歯科インプラント処置に関連して正確な咬合記録を得る際に使用される咬合レジストレーションポストに関する。咬合レジストレーションポストは、細長いシャンクと、シャンクの一方の端部から延在するねじ付きステム部分とを含む。ねじ付きステム部分は、患者の顎において適所にインプラントに螺着係合可能である。少なくとも１つの比較的平面的なフランジは、シャンクから径方向外側に延在する。フランジは、咬合印象を作成するのに用いられる咬合材料に嵌まり込む。このような材料は、典型的には、咬合に如何なる変化ももたらすことなく、咬合レジストレーションポストの付け外しを容易に操作可能にする比較的軟質の形状保持材料として調整される。
【０００７】
本考案のさらなる局面においては、少なくとも１つのフランジは、シャンクから外側に延在する方向に円形をなしている。さらに、少なくとも１つのフランジの外周はフランジの直径に対して横向きの方向に円形にされるかまたは湾曲している。
【０００８】
本考案のさらなる局面においては、少なくとも２つのフランジは細長いシャンクに沿って位置決めされており、これらフランジは互いから間隔を空けて配置されている。間隔を空けて配置されたフランジはそれらの間にアンダーカットを規定する。このアンダーカットは、咬合レジストレーションポストの軸を中心として３６０度にわたり、咬合材料の動きに対する抵抗または対抗力をもたらす。
【０００９】
本考案のさらなる局面においては、咬合レジストレーションポストのシャンク部分は、より大きな幅または直径からねじ付きステムの方に向かってより小さな幅または直径になるよう先細にされる。これにより、咬合レジストレーションポストの質量または重量が低減される。
【００１０】
本考案のさらなる局面においては、ねじ付きステムとの接続部におけるシャンクの直径は、ねじ付きステムの直径よりも大きい。これにより、ポストの長さに対して横方向に延在する肩部または環状面が規定される。ステムがインサートに捩じ込まれると、ポストが完全に係合されたときに肩部がインサートの上部に突き当たる。
【００１１】
本考案の別の局面においては、ソケットが、シャンクのうち、ステムとは反対側の端部に形成される。このソケットは、必要に応じて、咬合レジストレーションポストをアバットメントから取外すのに使用され得る標準的なアレンレンチまたは他のタイプのツールを受けるような形状寸法にされる。
【００１２】
この考案の上述の局面および付随する多くの利点は、添付の図面に関連付けて読まれると、以下の詳細な説明を参照することによってより良く理解されるので、より容易に認識されるだろう。
【図面の簡単な説明】
【００１３】
【図１】上顎に配置された歯科インプラントの頭部または上部分に捩じ込まれた咬合レジストレーションポストを示す図である。
【図２】下顎における歯科インプラントの頭部または上部分に捩じ込まれた咬合レジストレーションポストを示す図である。
【図３】咬合レジストレーションポストを示す図である。
【図４】第２の咬合レジストレーションポストを示す図である。
【図５】図４の咬合レジストレーションポストを示す断面図である。
【図６】患者の顎の型モデル上に装着された咬合レジストレーションポストおよび咬合を示す図である。
【図７】さらなる咬合レジストレーションポストを示す断面図である。
【考案を実施するための形態】
【００１４】
詳細な説明
本考案は、図１および図２に図示のとおり、咬合レジストレーションポスト１０および４０に向けられる。これら咬合レジストレーションポスト１０および４０は歯科インプラント６０に螺着されており、顎同士が咬合している間にこれらポストと反対側の歯６４との間で保持されるべき咬合材料６２に安定した台基盤をもたらす。流動性のある咬合材料６２が十分に調整された後、結果として得られる咬合記録を用いて、患者の上歯および下歯のモデル６６を、それらが患者の口内に配置されるのと実質的に同じ態様で共に設定することができる。図６を参照されたい。
【００１５】
図４および図５に図示のとおり、咬合レジストレーションポスト１０は円形のシャンク部分１２を含む。当該シャンク部分１２は、軟組織のすぐ下に位置するインプラント６０の頭部に螺着される下方のねじ付きステム１４のうち隣接する端部において終端をなす。図１および図２を参照されたい。ポスト１０においては、シャンク部分１２は、下方のテーパ部分１８と、上方の固定された円筒部分２０とを含む。典型的には、シャンク部分の底部の直径は、ポストが螺着されるインプラント６０の頭部または上部分の直径に近いものとなるだろう。図１および図２を参照されたい。ポスト１０が適所に螺着されると、下方のシャンク部分１８の基部が、インプラント１６の上面と向かい合わせで咬み合う肩部または面部分２２を規定する。
【００１６】
垂直に間隔を空けて配置されたより大きな１対の円形フランジ部分２６および２８がポスト１０の上部に形成される。フランジ部分２６および２８は、典型的にはペーストタイプの粘度を有する流動性のある咬合材料６２にアンカーまたは支持部をもたらす。顎が咬合している間にレジストレーションポストが咬合材料を適所に安定的に「保持する」ことにより、正確な咬合記録が作成される。この点に関して、フランジ部分２６および２８によってアンダーカット３０が規定され、当該アンダーカット３０は、咬合ポスト１０の長手方向にだけではなく、ポストの制御軸に対して径方向に３６０度の方向にもレジストレーション材料を適所に安定的に保持するのを支援する。
【００１７】
図４および図５に図示のとおり、第１のアンダーカット３０は、上方フランジ２８と下方フランジ２６との間が分離されていることで規定される。第２のアンダーカット３２は、下方フランジ２６の下面およびシャンク１２によって規定される。実際には、ポスト１０は２つのアンダーカット３０および３２を規定する。
【００１８】
図５に最も明瞭に示されるように、アンダーカット３０は、アンダーカット自体と上方フランジ２８の隣接する下側と下方フランジ２６の隣接する上側との間に滑らかな移行部を形成するように弓形になっている。アンダーカット３０の最小径は、上方シャンク部分２０の直径と同様であってもよいが、上方シャンク部分２０の直径よりも大きくてもまたは小さくてもよい。
【００１９】
続けて図５を参照すると、上方フランジ２８および下方フランジ２６の外周は、如何なる鋭い端縁または角部をも呈しないように、かつ、咬合レジストレーションの記録後に咬合材料をポストから取外すのを支援するように、円形にされるかまたは湾曲している。
【００２０】
図３に示されるポスト４０は、ポスト１０と構造が類似しているが、ポスト１０よりも長さが短い。このため、インプラントと反対側の顎の歯と間の距離がより短い場合、ポスト４０を用いることができる。歯の咬合時にポストが反対側の顎の歯に触れないことが重要である。
【００２１】
構造に関して、ポスト４０は、主として、ポスト１０のような一定直径を有する上方シャンク部分２０を有していない点で、ポスト１０とは異なっている。むしろ、ポスト４０においては、シャンク４２は、下方フランジ２６′の下側におけるより大きな直径からシャンク４２の下方端部における肩部２２′の直径に向かって先細になっている。シャンク部分４２はねじ付きステム１４′の方に向かって均一に先細になるよう図示されているが、必ずしも均一に先細になっている必要はなく、むしろ、ポスト４０の長さに沿って変化していてもよい。これらの相違点以外に、咬合ポスト４０は、構造および機能の点で咬合ポスト１０と非常に類似している。
【００２２】
ポスト１０および４０はともに、上方フランジ２８および２８′の上面において形成された凹部５２からポスト内へと下方に延在するソケット５０を含む。図３〜図５を参照されたい。以下に簡潔に記載されるように、ソケットの目的は、必要に応じて、患者の顎のインプラントから、または、患者の顎の作製所モデルからポストを緩めるかまたは取外すために用いることのできるアレンレンチ（Allen wrench）などのツールを受けることである。この点に関して、ソケット５０は、上方フランジ２８または２８′内に座ぐり状にされた六角ソケットの形状であってもよい。当然、他の形状のソケットを用いることもできる。たとえば、ソケットは方形状または卵形であってもよい。
【００２３】
図５は、そこに示されたポスト１０についての寸法Ａ〜Ｉを示す。非限定的な例として、図５に示される寸法は以下のとおりであってもよい：すなわち、Ａ＝５．５ミリメートル（ｍｍ）；Ｂ＝４．０ｍｍ；Ｃ＝１０．０ｍｍ；Ｄ＝４．０ｍｍ；Ｅ＝６．０ｍｍ；Ｆ＝２．７ｍｍ；Ｇ＝３．２ｍｍ；Ｈ＝４．２ｍｍ；および、Ｉ＝２．５ｍｍである。上述のとおり、ポスト４０は、構造についてはポスト１０と同様であるが、長さがより短くなっている。この点に関して、非限定的な例として、ポスト４０の寸法Ｃは６．５ｍｍであってもよく、寸法Ｅは２．５ｍｍであってもよい。しかしながら、図に示されるレジストレーションポスト１０および４０の特徴の寸法が、例示的となるよう意図されたものであって限定的なものではないことが理解されるべきである。
【００２４】
他の寸法を有するレジストレーションポストも本開示の範囲内である。さらに、より長いレジストレーションポストが必要な場合、３つまたは他の数の円形または他の形状のより大きなフランジを備えるポストを形成することができる。このようなフランジはフランジ２６および２８に類似していてもよいが、図３および図４に示されるように２つのフランジ以外の数であってもよい。
【００２５】
上述のとおり、ポスト１０および４０は、レジストレーションポスト１０および４０の上部フランジ２８に座ぐり状にされた６角ソケット３０内に係合するアレンレンチまたは他のツールを介して、インプラント６０などのインプラントから取外され得る。さらに、ソケット３０を用いるのではなく、上方フランジ２８上で係合するソケットレンチまたは他のツールを受けるように上方フランジ２８を形づくることが可能である。この点に関して、上方フランジは６角形状、方形状または他の形状であってもよい。
【００２６】
好ましくは、咬合ポスト１０および４０は、使用後のレジストレーションポストが殺菌され繰返し再使用され得るように、耐久性があり安定した材料から構成される。このような材料の一例としてチタンが挙げられる。しかしながら、他の材料、たとえばセラミックが用いられてもよい。また、咬合ポスト１０および４０には番号が付されてもよく、または、一意的な名称が与えられてもよく、これにより、患者の実際の顎と同じ位置にある患者の顎のモデルにポストを配置できるようにする。番号または名称は上方フランジ２８／２８′に形成された凹部５２に刻み付けることができる。
【００２７】
使用時に、咬合ポスト１０および４０がインプラント６０に捩じ込まれ、次いで、流動性のある咬合材料６２がインプラント区域に施される。顎が閉じられて、咬合材料がインプラント部位とは反対側の歯６４に対して押当てられる。これにより、歯が咬合する際に、咬合材料２０がこのような反対側に位置する歯の上部の形状を呈することとなる。このプロセス中、流動性のある咬合材料は、咬合ポスト１０および４０によって適所に保持される。咬合材料が十分に調整された後、材料が患者の口から除去される。咬合材料は、当該咬合材料が咬合ポスト１０および４０の上を摺動することが可能となるよう十分に弾力性があるものであるが、正確な咬合記録を提供するために十分な形状記憶特性を有している。次いで、咬合ポストがインプラント６０から取外される。
【００２８】
患者の顎および既存の歯のモデル６６が作成されると、咬合ポスト１０および／または４０がモデル６６において適所に螺着され、咬合材料６２がポストの上に配置される。その上において、モデル６６が、患者の歯がどこで咬合するかを示すよう接合され得る。
【００２９】
本開示のさらなる実施例が示される図７においては、咬合ポスト７０が咬合ポスト１０と同様の構成を有するものとして示される。そのため、咬合ポスト７０の同様の部分には、咬合ポスト１０におけるのと同じ番号が付されるが、ダブルプライム（″）記号が付される。咬合ポスト７０と咬合ポスト１０との一相違として、咬合ポスト７０の下方シャンク部分７２が咬合ポスト１０のシャンク部分１８のようには先細になっていない点が挙げられる。むしろ、咬合ポスト７０においては、下方シャンク部分７２は一定ではあるが、咬合ポスト７０の上方シャンク部分２０″よりも直径が小さい。しかしながら、この点以外では、咬合ポスト７０は、構造および機能が咬合ポスト１０に非常に類似している。
【００３０】
さらに、咬合ポスト７０と同様の咬合ポストがさまざまな長さに構成可能であることが理解されるべきである。これは、下方シャンク部分７２″および／または上方シャンク部分２０″の長さを長くするかまたは短くすることによって対応可能である。より長い咬合ポストが所望される場合、このようなより長い咬合ポストでは３つ以上のフランジを用いる可能性があるが、これら３つ以上のフランジは、下方フランジ２６″および上方フランジ２８″と構成が類似していてもよいし、または異なっていてもよい。それでもなお、このような代替的な長さの咬合ポストは、依然として、上述のとおり咬合ポスト１０、４０および７０と同様の態様で機能するだろう。
【００３１】
具体的な実施例を図示および例示してきたが、この明細書中において本考案の精神および範囲から逸脱することなくさまざまな変更が可能であることが認識されるだろう。
【符号の説明】
【００３２】
１０  咬合レジストレーションポスト、１２  シャンク部分、１４  ねじ付きステム、１８  下方のシャンク部分。
【図１】
0003189160.tif 000003
【図２】
0003189160.tif 000004
【図３】
0003189160.tif 000005
【図４】
0003189160.tif 000006
【図５】
0003189160.tif 000007
【図６】
0003189160.tif 000008
【図７】
0003189160.tif 000009